(57)【要約】【課題】褥瘡の予防や姿勢の保持に有効で清潔な状態を維持可能な介護用に好適なクッションを提供する。【解決手段】クッション１０は、積層した各部材１２，１４の全体をカバー部材１６で覆った構造である。基材１２は、断面楔形の三角柱状を成し、発泡ウレタンのチップブロック材によって一体形成されており、そのブロック全体の硬度は比較的高く設定されている。マット部材１４は、発泡セルが大きな粗セル構造の高発泡ウレタンによる厚みがほぼ均一な薄肉のシートによって一体形成されており、その硬度は比較的低く設定されている。カバー部材１６は、断面楔形の三角柱状を成し、ネオプレンゴムが混入されて伸縮性および防水性を備えた布地によって縫製されている。また、カバー部材１６の後端部から両側面の一部にかけてジッパー１６ａが取り付けられており、そのジッパー１６ａによりカバー部材１６の後端部は開閉可能になっている。【選択図】  図２
2004357819.tif 000002
【特許請求の範囲】
【請求項１】
人間の体重がかかっても変形不能な材料によって形成された基材と、
前記基材の上に積層されたマット部材と、そのマット部材は人間の体重がかかると変形可能な材料による薄肉のシートによって形成されていることと、
前記マット部材の表面を覆う伸縮性および防水性を有するカバー部材と
を備えたことを特徴とするクッション。
【請求項２】
請求項１に記載のクッションにおいて、
前記カバー部材は、前記基材および前記マット部材の全体を覆うことを特徴とするクッション。
【請求項３】
請求項１または請求項２に記載のクッションにおいて、
前記基材に形成された凹部と、
その凹部内に嵌め込まれた枕と
を備えたことを特徴とするクッション。
【請求項４】
請求項３に記載のクッションにおいて、
前記マット部材は前記枕の上にも積層されていることを特徴とするクッション。
【請求項５】
請求項１〜４のいずれか１項に記載のクッションにおいて、
前記カバー部材は着脱可能であることを特徴とするクッション。
【請求項６】
請求項１〜５のいずれか１項に記載のクッションにおいて、
前記基材は断面楔形の三角柱を横倒しにした形状を成し、クッションの楔形先端部分において上面と下面とが成す角度を約１５゜間隔で複数種類設定したことを特徴とするクッション。
【発明の詳細な説明】
【０００１】
【発明の属する技術分野】
本発明はクッションに係り、詳しくは、褥瘡の予防や姿勢の保持に有効で清潔な状態を維持可能な介護用に好適なクッションに関するものである。
【０００２】
【従来の技術】
従来より、寝たきりの病人の褥瘡を防止したり姿勢を保持させるために、病人の体と寝床との間にクッションを挿入する処置がとられている。
そのようなクッションとして、例えば、ウレタン等の山形弾力体の上部中央に突部体を着脱可能に設けた介護用体位安定クッションが提案されている（特許文献１参照。）。
尚、特許文献１には、「山形クッションの材質としてはウレタンをはじめ、ゴムやスポンジ、空気式ビニール袋なども用いる」ことと、「仰臥の姿勢では突部体が布団の重さを軽減する」こととが記載されている。
【０００３】
【特許文献１】
特開２００２−２８１９３号公報（第頁、図１）
【０００４】
【発明が解決しようとする課題】
前記特許文献１のクッションには以下の問題がある。
【０００５】
（１）発泡ウレタン、発泡ゴム、スポンジなどの発泡材料を用いてクッションを形成し、その発泡材料に連続気泡性のものを用いた場合、病人の体の形に合わせてクッションが自在に変形するため褥瘡の予防に有効であるものの、病人の体液や吐瀉物などがクッション内に染み込みやすく不衛生になる。
【０００６】
そこで、クッションに防水性のカバーを掛けることが考えられるが、病人の体が動いてカバーに皺が寄ると、その皺部分から体に圧力が加わり、褥瘡が発生しやすくなる。
また、褥瘡予防効果を向上させるために、クッションを柔らかくして変形性を高めると、病人の姿勢を保持させる機能が低下してしまう。
【０００７】
（２）単独気泡性の発泡材料や空気式ビニール袋を用いてクッションを形成した場合、病人の体液や吐瀉物などがクッション内に染み込まないため衛生的であるものの、気泡内やビニール袋内の空気がバネとして作用することから、病人の体の形に合わせてクッションが変形しにくくなり褥瘡の予防効果が劣る。
【０００８】
本発明は上記問題を解決するためになされたものであって、その目的は、褥瘡の予防や姿勢の保持に有効で清潔な状態を維持可能な介護用に好適なクッションを提供することにある。
【０００９】
【課題を解決するための手段・作用および発明の効果】
（請求項１）
係る目的を達成するためになされた請求項１に記載の発明は、
人間の体重がかかっても変形不能な材料によって形成された基材と、
前記基材の上に積層されたマット部材と、そのマット部材は人間の体重がかかると変形可能な材料による薄肉のシートによって形成されていることと、
前記マット部材の表面を覆う伸縮性および防水性を有するカバー部材と
を備えたクッションを技術的特徴とする。
【００１０】
従って、請求項１に記載の発明によれば、使用者が寄りかかっても基材が変形せず、クッションによって使用者の姿勢を確実に保持させることができる。また、使用者の体の形に合わせてマット部材が自在に変形し、使用者Ｍの体にかかる圧力を低減させることから、褥瘡の予防に有効である。おして、使用者の体が動いた場合でもカバー部材の伸縮性により皺が寄り難く、カバー部材の皺による褥瘡の発生を防止できる。さらに、使用者の体液や吐瀉物などの液体がかかった場合でもカバー部材の防水性により染み込まず、カバー部材の表面を清拭するだけでクッションの清潔を維持できることから衛生的である。
その結果、請求項１に記載の発明によれば、褥瘡の予防や姿勢の保持に有効で清潔な状態を維持可能な介護用に好適なクッションを提供することができる。
【００１１】
（請求項２）
次に、請求項２に記載の発明は、請求項１に記載のクッションにおいて、前記カバー部材は、前記基材および前記マット部材の全体を覆うことを技術的特徴とする。
【００１２】
従って、請求項２に記載の発明によれば、使用者の体液や吐瀉物などの液体がかかった場合でも、カバー部材の防水性により当該液体がマット部材および基材に染み込まず、カバー部材の表面を清拭するだけでクッションの清潔を維持できることから衛生的である。
【００１３】
（請求項３）
次に、請求項３に記載の発明は、請求項１または請求項２に記載のクッションにおいて、前記基材に形成された凹部と、その凹部内に嵌め込まれた枕とを備えたことを技術的特徴とする。
【００１４】
従って、請求項３に記載の発明によれば、使用者の頭部を枕上に配置すれば、枕によって使用者の頭部の位置を確実に保持することが可能になり、呼吸の安定化や誤嚥物および痰の喀出を更に促進させることができる。また、使用者が横臥した場合は、使用者の側頭部を枕によって安定的に支持可能であるため、使用者Ｍの姿勢を確実に保持させることができる。
【００１５】
（請求項４）
ところで、請求項４に記載の発明のように、請求項３に記載のクッションにおいて、前記マット部材を前記枕の上に積層してもよい。
【００１６】
（請求項５）
次に、請求項５に記載の発明は、請求項１〜４のいずれか１項に記載のクッションにおいて、前記カバー部材は着脱可能であることを技術的特徴とする。
【００１７】
従って、請求項５に記載の発明によれば、カバー部材が汚損した場合にはカバー部材のみを交換すればよく、基材およびマット部材はそのまま使用できることから経済的である。
【００１８】
（請求項６）
次に、請求項６に記載の発明は、請求項１〜５のいずれか１項に記載のクッションにおいて、前記基材は断面楔形の三角柱を横倒しにした形状を成し、クッションの楔形先端部分において上面と下面とが成す角度を約１５゜間隔で複数種類設定したことを技術的特徴とする。
【００１９】
従って、請求項６に記載の発明によれば、クッションの基材が断面楔形の三角柱状を成しているため、使用者の体と寝床との間に当該楔形の先端部分を挿入しやすい。
また、仰臥した上体の角度を約１５゜変化させると人間の心肺能力は大きく変化し、呼吸の安定化や誤嚥物および痰の喀出を促進させるため、前記角度を約１５゜間隔で複数種類設定することにより、使用者の状態に合わせてクッション１０の機能を最適に発揮することができる。
【００２０】
【発明の実施の形態】
［第１実施形態］
以下、本発明を具体化した第１実施形態のクッションについて図面を参照しながら説明する。
【００２１】
（第１実施形態の構成）
図１は、第１実施形態のクッション１０の外観を示す斜視図である。
図２は、クッション１０の内部構造を示す一部分解斜視図である。
クッション１０は、断面楔形の三角柱を横倒しにした形状を成し、基材１２、マット部材１４、カバー部材１６から構成され、積層した各部材１２，１４の全体をカバー部材１６で覆った構造になっている。
【００２２】
基材１２は、断面楔形の三角柱状を成し、発泡ウレタンのチップブロック材によって一体形成されており、そのブロック全体の硬度は比較的高く設定されている。そのため、基材１２は人間（使用者Ｍ）の体重がかかっても変形不能である。
尚、発泡ウレタンのチップブロック材は、発泡ウレタンを切断加工した際の端材などを細かく粉砕し、それに接着剤などを混入して再びプレス成形することにより形成され、プレス圧の調節により比重や硬度などを自由に調節できる。
【００２３】
マット部材１４は、発泡セルが大きな粗セル構造の高発泡ウレタン（ウレタンフォーム）による厚みがほぼ均一な薄肉のシートによって一体形成されており、その硬度は比較的低く設定されている。そのため、マット部材１４は人間（使用者Ｍ）の体重がかかると変形可能である。
カバー部材１６は、断面楔形の三角柱状を成し、ネオプレンゴムが混入されて伸縮性および防水性を備えた布地によって縫製されている。また、カバー部材１６の後端部から両側面の一部にかけてジッパー（ファスナー）１６ａが取り付けられており、そのジッパー１６ａによりカバー部材１６の後端部は開閉可能になっている。
【００２４】
クッション１０を組み立てるには、まず、カバー部材１６のジッパー１６ａを開き、次に、基材１２の上面にマット部材１４を載置して各部材１２，１４を積層し、続いて、ジッパー１６ａによって開かれたカバー部材１６の後端部からカバー部材１６の内側へ積層した各部材１２，１４を押し込み（図２参照）、最後に、ジッパー１６ａを閉じればよい。
【００２５】
図３は、クッション１０の使用例を示す説明図である。
図３（Ａ）は、使用者Ｍの頭部および背中と寝床（ベッド、布団、マットレスなど）Ｓとの間にクッション１０を挿入し、寝床Ｓの上に仰臥した使用者Ｍの上体を起こした状態を示す。尚、クッション１０は、カバー部材１４が使用者Ｍ側を向くように寝床Ｓ上に配置する。
このように、クッション１０を用いて使用者Ｍの上体を起こすことにより、使用者Ｍの嚥下が容易になり誤嚥し難くなるため、仰臥したままでも安全に食事を摂ることが可能になる。また、呼吸の安定化、誤嚥物および痰の喀出の促進化、安楽姿勢の確保、褥瘡の予防、関節拘縮および異常緊張の予防などを図ることもできる。
【００２６】
図３（Ｂ）は、使用者Ｍの脚部と寝床Ｓとの間にクッション１０を挿入し、寝床Ｓの上に仰臥した使用者Ｍの脚部を上げた状態を示す。
このように、クッション１０を用いて使用者Ｍの脚部を上げることにより、脚部の浮腫を取り除くことや褥瘡の予防などを図ることができる。
尚、クッション１０の使用方法は図３に示す例に限らず、使用者Ｍの体の適宜な箇所と寝床Ｓとの間にクッション１０を挿入することにより、使用者Ｍに適宜な姿勢をとらせて当該姿勢を保持させることができる。
【００２７】
（第１実施形態の作用・効果）
以上詳述した第１実施形態によれば、以下の作用・効果を得ることができる。
［１−１］クッション１０の基材１２が断面楔形の三角柱状を成しているため、使用者Ｍの体と寝床Ｓとの間に当該楔形の先端部分を挿入しやすい。
【００２８】
ここで、クッション１０の楔形先端部分において上面と下面とが成す角度θの範囲は約５〜７０゜が適当であり、望ましくは約１０〜４０゜、特に望ましくは１５〜３０゜である。
角度θがこの範囲より大きくなると使用者Ｍの姿勢に無理がかかり、角度θがこの範囲より小さくなると使用者Ｍの姿勢がほとんど変化しなくなるため、姿勢を保持させる機能を発揮し難くなる。
【００２９】
尚、図１に示す角度θとクッション１０の横幅Ｗおよび奥行Ｄとを適宜設定した以下のタイプ（種類）１〜５を用意し、各タイプを使い分けることで、使用者Ｍの体格や使用状況に合わせてクッション１０の機能を最適に発揮することができる。
【００３０】
タイプ１：θ＝１５゜、Ｗ＝３３０ｍｍ、Ｄ＝４００ｍｍ
タイプ２：θ＝１５゜、Ｗ＝３３０ｍｍ、Ｄ＝２００ｍｍ
タイプ３：θ＝３０゜、Ｗ＝３３０ｍｍ、Ｄ＝４００ｍｍ
タイプ４：θ＝３０゜、Ｗ＝３３０ｍｍ、Ｄ＝２００ｍｍ
タイプ５：θ＝１５゜、Ｗ＝３３０ｍｍ、Ｄ＝４００ｍｍ
【００３１】
ここで、角度θを１５゜，３０゜の２種類に設定したのは、仰臥した上体の角度を約１５゜変化させると人間の心肺能力が大きく変化し、呼吸の安定化や誤嚥物および痰の喀出を促進させるためである。
尚、角度θは約１５゜間隔で３種類（１５゜，３０゜，４５゜）または４種類（１５゜，３０゜，４５゜，６０゜）に設定してもよく、角度θの種類を増やすほど使用者Ｍの状態に合わせてクッション１０の機能を最適に発揮することができる。
【００３２】
［１−２］クッション１０の基材１２は、発泡ウレタンのチップブロック材によって一体形成され、そのブロック全体の硬度は比較的高く設定されており、使用者Ｍの体重がかかっても変形不能である。
そのため、使用者Ｍが寄りかかっても基材１２が変形せず、クッション１０によって使用者Ｍの姿勢を確実に保持させることができる。
【００３３】
ちなみに、基材１２を形成するための発泡ウレタンによるチップブロック材には、例えば、クラボウ東京化成株式会社製の品番「８０＃」を用いればよい。
【００３４】
ここで、基材１２の硬度の範囲は約１２０〜４００ｋｇ／Ｎが適当であり、望ましくは約１６０〜３２０ｋｇ／Ｎ、特に望ましくは約１７０〜２９０ｋｇ／Ｎである。
硬度がこの範囲より高くなると使用者Ｍの体にかかる圧力が大きくなって褥瘡を発生させやすくなる傾向があり、硬度がこの範囲より低くなると使用者Ｍの姿勢を保持させる機能を発揮し難くなる傾向がある。
尚、硬度の試験方法はＪＩＳ  Ｋ−６４０１による。
【００３５】
［１−３］マット部材１４は、発泡セルが大きな粗セル構造の高発泡ウレタンによる厚みがほぼ均一な薄肉のシートによって一体形成され、その硬度は比較的低く設定されており、使用者Ｍの体重がかかると変形可能である。
そのため、使用者Ｍの体の形に合わせてマット部材１４が自在に変形し、使用者Ｍの体にかかる圧力を低減させることから、褥瘡の予防に有効である。
【００３６】
ちなみに、マット部材１４を形成するための発泡ウレタンによる薄肉のシートには、例えば、アキレス株式会社製の商品名「ムマック」品名「ＳＫＬ」を用いればよい。同商品は、耐加水分解性、防カビ性、低温特性に優れたエーテル系ポリウレタンであるため、マット部材１４に好適である。
【００３７】
ここで、マット部材１４の硬さの範囲は約７０〜１５０Ｎが適当であり、望ましくは約９０〜１３５Ｎ、特に望ましくは約１１５〜１２５Ｎである。
硬さがこの範囲より高くなると使用者Ｍの体にかかる圧力が大きくなって褥瘡を発生させやすくなる傾向があり、硬さがこの範囲より低くなると変形しやすくなり過ぎて基材１２から使用者Ｍの体に圧力がかかって褥瘡を発生させやすくなる傾向がある。
【００３８】
また、マット部材１４の厚さの範囲は約０．３〜１．５ｃｍが適当であり、望ましくは約０．５〜１．２ｃｍ、特に望ましくは約０．７〜１．０ｃｍである。
厚さがこの範囲より大きくなると使用者Ｍの姿勢を保持させる機能を発揮し難くなる傾向があり、厚さがこの範囲より小さくなると基材１２から使用者Ｍの体に圧力がかかって褥瘡を発生させやすくなる傾向がある。
【００３９】
［１−４］カバー部材１６は、ネオプレンゴムが混入されて伸縮性および防水性を備えた布地によって縫製されている。
そのため、使用者Ｍの体が動いた場合でもカバー部材１６の伸縮性により皺が寄り難く、カバー部材１６の皺による褥瘡の発生を防止できる。
また、使用者Ｍの体液や吐瀉物などの液体がかかった場合でも、カバー部材１６の防水性により当該液体が各部材１２，１４に染み込まず、カバー部材１６の表面を清拭するだけでクッション１０の清潔を維持できることから衛生的である。
【００４０】
［１−５］カバー部材１６の後端部はジッパー１６ａによって開閉可能であり、前記したクッション１０の組立工程を逆に行うことにより、カバー部材１６から各部材１２，１４を取り出すことができる。つまり、カバー部材１６はクッション１０から着脱可能である。
そのため、カバー部材１６が汚損した場合にはカバー部材１６のみを交換すればよく、各部材１２，１４はそのまま使用できることから経済的である。
【００４１】
［第２実施形態］
次に、本発明を具体化した第２実施形態のクッションについて図面を参照しながら説明する。尚、第２実施形態において、第１実施形態と同一構成部材については符号を等しくしてその詳細な説明を省略する。
【００４２】
（第２実施形態の構成）
図４は、第２実施形態のクッション２０の内部構造を示す一部分解斜視図である。
尚、クッション２０の外観は、図１に示す第１実施形態のクッション１０と同じである。
クッション２０において、クッション１０と異なるのは、基材１２の略中央部分に凹部１２ａが形成されており、その凹部１２ａ内に枕２２が嵌め込まれている点だけである。
【００４３】
枕２２は、伸縮性を備えた布地によって縫製された袋材２２ａと、その袋材２２ａの内部に収容された多数個のビーズ材２２ｂとから構成され、一般に「ビーズ枕」と呼ばれるものである。
基材１２の凹部１２ａの寸法形状は、凹部１２ａ内に嵌め込まれた枕２２の位置が固定されるように、枕２２の寸法形状に合わせて設定されている。
【００４４】
クッション２０を組み立てるには、まず、カバー部材１６のジッパー１６ａを開き、次に、基材１２の凹部１２ａ内に枕２２を嵌め込み、基材１２および枕２２の上面にマット部材１４を載置して各部材１２，２２，１４を積層し、続いて、ジッパー１６ａによって開かれたカバー部材１６の後端部からカバー部材１６の内側へ積層した各部材１２，２２，１４を押し込み、最後に、ジッパー１６ａを閉じればよい。
【００４５】
（第２実施形態の作用・効果）
以上詳述した第２実施形態によれば、第１実施形態の作用・効果に加えて、以下の作用・効果を得ることができる。
［２−１］図５は、クッション２０の使用例を示す説明図である。
使用者Ｍの頭部が枕２２上に配置されるように、使用者Ｍの頭部および背中と寝床Ｓとの間にクッション２０を挿入し、寝床Ｓの上に仰臥した使用者Ｍの上体を起こす。尚、クッション２０は、カバー部材１４が使用者Ｍ側を向くように寝床Ｓ上に配置する。
【００４６】
このように、使用者Ｍの頭部を枕２２上に配置すれば、枕２２によって使用者Ｍの頭部の位置を確実に保持することが可能になり、呼吸の安定化や誤嚥物および痰の喀出を更に促進させることができる。
また、使用者Ｍが寝床Ｓ上に横臥した場合は、使用者Ｍの側頭部を枕２２によって安定的に支持可能であるため、使用者Ｍの姿勢を確実に保持させることができる。
【００４７】
［２−２］枕２２は、伸縮性を備えた布地によって縫製された袋材２２ａと、その袋材２２ａの内部に収容された多数個のビーズ材２２ｂとから構成されている。
そのため、使用者Ｍの頭部が動いた場合でも、その頭部の動きに合わせて袋材２２ａ内をビーズ材２２ｂが移動し、そのビーズ材２２ｂの動きは袋材２２ａの伸縮性によって妨げられないことから、使用者Ｍの姿勢保持機能を更に高めることができる。
また、介護者が身動きできない使用者Ｍに所望の姿勢をとらせる際にも、介護者が使用者Ｍにとらせた姿勢を枕２２によって確実に維持可能であるため、介護用に好適である。
【００４８】
［２−３］図６は、各クッション１０，２０を併用した使用例を示す説明図である。
使用者Ｍの頭部が枕２２上に配置されるように、使用者Ｍの頭部と寝床Ｓとの間にクッション２０を挿入し、使用者Ｍの顔面を上に向ける。
また、寝床Ｓの上に半仰臥した使用者Ｍの臀部と寝床Ｓとの間にクッション１０（奥行Ｄ＝４００ｍｍ）を挿入すると共に、使用者Ｍの背中上部と寝床Ｓとの間にもクッション１０（奥行Ｄ＝２００ｍｍ）を挿入する。
【００４９】
つまり、クッション２０を用いて使用者Ｍの顔面が上向きになるように頭部を保持固定すると共に、各クッション１０を用いて使用者Ｍの臀部および背中上部を寝床Ｍから離して半仰臥した状態に保持固定する。
このようにすれば、背中における腰の上部（腰のくびれ部分）に位置する肺の下葉部位を圧迫させないため、呼吸器量を増大させて肺の喚起機能を向上させることが可能になり、血中酸素飽和濃度を高めることができる。
【００５０】
［別の実施形態］
ところで、本発明は上記各実施形態に限定されるものではなく、以下のように具体化してもよく、その場合でも、上記各実施形態と同等もしくはそれ以上の作用・効果を得ることができる。
【００５１】
［１］上記各実施形態ではカバー部材１６にジッパー１６ａを設けているが、ジッパー１６ａを面ファスナーに置き代え、その面ファスナーによってカバー部材１６を開閉するようにしてもよい。
【００５２】
［２］上記各実施形態では基材１２およびカバー部材１６が断面楔形の三角柱状を成しているが、使用状況に合わせて各部材１２，１６を適宜な形状（断面山形、台形、紡錘形など）にしてもよい。
【００５３】
［３］上記各実施形態ではカバー部材１６が各部材１２，１４の全体を覆っているが、マット部材１４の表面のみをカバー部材１６が覆うようにしてもよい。
【００５４】
［４］第２実施形態において、枕２２の上部を覆うマット部材１４を切り抜き、使用者Ｍの頭部がカバー部材１６を介して枕２２に当接するようにしてもよい。
このようにすれば、使用者Ｍの頭部の姿勢保持機能を更に高めることができる。
【００５５】
［５］第２実施形態において、枕２２はビーズ枕に限らず、使用者Ｍの頭部の姿勢保持機能が高い枕であればどのような枕を用いてもよい（例えば、低反発性材料によって一体形成された枕など）。
【００５６】
［６］基材１２、マット部材１４、カバー部材１６の材質は、上記各実施形態の材質に限定されるものではなく、各部材１２〜１６に必要な機能を備えた材質であればどのような材質を用いてもよい。
【図面の簡単な説明】
【図１】図１は、本発明を具体化した第１実施形態のクッション１０の外観を示す斜視図である。
【図２】図２は、クッション１０の内部構造を示す一部分解斜視図である。
【図３】図３は、クッション１０の使用例を示す説明図である。
【図４】図４は、本発明を具体化した第２実施形態のクッション２０の内部構造を示す一部分解斜視図である。
【図５】図５は、クッション２０の使用例を示す説明図である。
【図６】図６は、各クッション１０，２０を併用した使用例を示す説明図である。
【符号の説明】
１０，２０…クッション
１２…基材
１２ａ…凹部
１４…マット部材
１６…カバー部材
１６ａ…ジッパー
２２…枕
【図１】
2004357819.tif 000003
【図２】
2004357819.tif 000004
【図３】
2004357819.tif 000005
【図４】
2004357819.tif 000006
【図５】
2004357819.tif 000007
【図６】
2004357819.tif 000008